(57)【特許請求の範囲】
【請求項１】
画像データに応じた画像を熱転写型の画像形成方式により記録対象物に印画する形成手段と、
前記画像データに応じた画像が多値の階調を示す多値領域と２値の階調を示す２値領域とを含むか否かを判別する判別手段と、
前記判別手段が判別した結果に基づいて、前記形成手段の駆動速度及び印画動作パターンを制御する制御手段と、
を備え、
前記制御手段は、前記画像データに応じた画像が前記多値領域と前記２値領域とを含むと前記判別手段が判別する場合、前記多値領域について第１の駆動速度及び第１の印画動作パターンで印画し前記２値領域について第２の駆動速度及び第２の印画動作パターンで印画するように、前記形成手段を制御し、
前記判別手段は、さらに、前記多値領域と前記２値領域との間の余白の幅が閾値以上であるか否かを判別し、
前記制御手段は、
前記余白の幅が前記閾値以上であると前記判別手段が判別する場合、前記形成手段が前記余白を通過する期間において、前記第１の駆動速度及び前記第１の印画動作パターンと前記第２の駆動速度及び前記第２の印画動作パターンとを切り替えるように、前記形成手段を制御し、
前記余白の幅が前記閾値より小さいと前記判別手段が判別する場合、前記多値領域と前記２値領域とに対して同一の駆動速度で印画するように、前記形成手段を制御し、
前記第１の駆動速度は、前記第２の駆動速度より遅く、
前記第２の印画動作パターンは、単位駆動量当たりの印画濃度の変化量が前記第１の印画動作パターンよりも大きい
ことを特徴とする画像形成装置。
【請求項２】
前記制御手段は、前記余白の幅が前記閾値より小さいと前記判別手段が判別する場合、前記多値領域と前記２値領域とについて第３の駆動速度及び第３の印画動作パターンで印画するように、前記形成手段を制御し、
前記第３の駆動速度は、前記第１の駆動速度と前記第２の駆動速度との間の値であり、
前記第３の印画動作パターンは、単位駆動量当たりの印画濃度の変化量が前記第１の印画動作パターンと前記第２の印画動作パターンとの間の値である
ことを特徴とする請求項１に記載の画像形成装置。
【請求項３】
前記判別手段は、さらに、前記画像データに応じた画像において前記多値領域と前記２値領域と前記余白とのいずれにも判別できない判別不可領域が存在するか否かを判別し、
前記制御手段は、前記判別不可領域が存在すると前記判別手段が判断した場合、前記判別不可領域について第４の駆動速度及び第４の印画動作パターンで印画するように、前記形成手段を制御し、
前記第４の駆動速度は、前記第１の駆動速度と前記第２の駆動速度との間の値であり、
前記第４の印画動作パターンは、単位駆動量当たりの印画濃度の変化量が前記第１の印画動作パターンと前記第２の印画動作パターンとの間の値である
ことを特徴とする請求項１に記載の画像形成装置。
【請求項４】
前記多値領域と前記２値領域とを含む画像をそれぞれ示す複数の参照レイアウト情報を記憶する記憶手段をさらに備え、
前記判別手段は、前記画像データに応じた画像が前記複数の参照レイアウト情報のいずれかに合致すると判断する場合、前記画像データに応じた画像が前記多値領域と前記２値領域とを含むと判別する
ことを特徴とする請求項１から３のいずれか１項に記載の画像形成装置。
【請求項５】
前記記憶手段は、さらに、前記複数の参照レイアウト情報のそれぞれについて、参照レイアウト情報を識別する情報と、前記多値領域に対する駆動速度及び印画動作パターンと、前記２値領域に対する駆動速度及び印画動作パターンと、が対応付けられたパラメータテーブルを記憶し、
前記判別手段は、前記画像データに応じた画像が前記複数の参照レイアウト情報のいずれに合致するかを判別し、
前記制御手段は、前記判別手段が合致すると判別した参照レイアウト情報に対応する前記多値領域に対する駆動速度及び印画動作パターンと前記２値領域に対する駆動速度及び印画動作パターンとを決定し、前記多値領域について決定された駆動速度及び印画動作パターンで印画し前記２値領域について決定された駆動速度及び印画動作パターンで印画するように、前記形成手段を制御する
ことを特徴とする請求項４に記載の画像形成装置。
【請求項６】
被写体を撮像して画像データを生成する撮像装置と、
前記撮像装置から前記画像データを受信する請求項１から５のいずれか１項に記載の画像形成装置と、
を備えたことを特徴とする画像形成システム。
【請求項７】
画像データに応じた画像を熱転写型の画像形成方式により記録対象物に印画する形成手段を有する画像形成装置の制御方法であって、
前記画像形成装置の判別手段が、前記画像データに応じた画像が多値の階調を示す多値領域と２値の階調を示す２値領域とを含むか否かを判別する判別ステップと、
前記画像形成装置の制御手段が、前記判別ステップで判別した結果に基づいて、前記形成手段の駆動速度及び印画動作パターンを制御する制御ステップと、
を備え、
前記制御ステップにおいて前記制御手段は、前記画像データに応じた画像が前記多値領域と前記２値領域とを含むと前記判別ステップで判別する場合、前記多値領域について第１の駆動速度及び第１の印画動作パターンで印画し前記２値領域について第２の駆動速度及び第２の印画動作パターンで印画するように、前記形成手段を制御し、
前記判別ステップにおいて前記判別手段は、さらに、前記多値領域と前記２値領域との間の余白の幅が閾値以上であるか否かを判別し、
前記制御ステップにおいて前記制御手段は、
前記余白の幅が前記閾値以上であると前記判別ステップで判別する場合、前記形成手段が前記余白を通過する期間において、前記第１の駆動速度及び前記第１の印画動作パターンと前記第２の駆動速度及び前記第２の印画動作パターンとを切り替えるように、前記形成手段を制御し、
前記余白の幅が前記閾値より小さいと前記判別ステップで判別する場合、前記多値領域と前記２値領域とに対して同一の駆動速度で印画するように、前記形成手段を制御し、
前記第１の駆動速度は、前記第２の駆動速度より遅く、
前記第２の印画動作パターンは、単位駆動量当たりの印画濃度の変化量が前記第１の印画動作パターンよりも大きい
ことを特徴とする画像形成装置の制御方法。
【発明の詳細な説明】
【技術分野】
【０００１】
本発明は、画像形成装置、画像形成システム、及び画像形成装置の制御方法に関する。
【背景技術】
【０００２】
熱転写型の画像形成装置（例えば、プリンタ）は、感熱型の記録対象物（例えば、用紙）に可視像（例えば、印刷画像）を形成する。熱転写型の１つに、ライン熱転写型がある。ライン熱転写型では、主走査方向に配列された複数個の発熱体（サーマルヘッド）を選択的に駆動しながら記録対象物を副走査方向に搬送することで記録対象物の上にドットライン状の印画を行う。
【０００３】
近年、サーマルヘッドの性能や記録対象物材料の品質が向上しており、印刷画像（可視像）の画質が、銀塩写真に見劣りしない程度の画質となりつつある。すなわち、近年の撮像装置（例えば、デジタルカメラ）の進歩に歩調を合わせるように、熱転写型の画像形成装置が進歩しつつある。
【０００４】
そこで、熱転写型の画像形成装置と撮像装置とが直接的に接続された又は一体構成とされた画像形成システム（例えば、カメラダイレクトプリントシステム）が提案されている。この画像形成システムでは、コンピュータ等の情報処理装置を介することなく、撮像された画像データに基づく画像を直接的に画像形成装置から出力することができる。
【０００５】
特許文献１に示す画像形成システムでは、撮像装置で撮像された画像は、一旦、撮像装置内の記録媒体に保存される。次に、ユーザは、記録媒体に保存された画像を撮像装置のディスプレイに表示させるとともに、表示された画像に基づいて、出力したい画像を選択する。ユーザは、出力したい画像を選択した後に、撮像装置の操作手段に割り付けられた出力指示キーを押下する。これによって、選択された画像データが撮像装置から画像形成装置に転送される。画像形成装置では、受け取った画像データに対して出力可能な形式となるようにデータ処理を施した後、記録対象物上に印刷出力する。
【特許文献１】特開平１０-２４３３２７号公報
【発明の開示】
【発明が解決しようとする課題】
【０００６】
特許文献１に示す画像形成システムでは、熱転写型の画像形成装置において、撮像装置で撮影したデータを印刷する場合、Ｙ
,Ｍ,Ｃ,オーバーコートの順でインクリボンを走査させ、記録対象物にインクリボンのインクを熱転写させる。
【０００７】
画像形成装置は、画像を印画する際に、階調の連続性を保証する為、形成手段（例えば、サーマルヘッド）の駆動速度を一定に保つことが多い。また、画像形成装置は、画像を印画する際に、階調の連続性を保証する為、画像データに応じた画像を記録対象物に形成する形成手段の印画動作パターンを一定に保つことが多い。
【０００８】
しかし、絵などの多値の画像に適した形成手段の駆動速度及び印画動作パターンと文字などの２値の画像に適した形成手段の駆動速度及び印画動作パターンとは異なる。このため、画像形成装置により画像を記録対象物に形成する際の画質及び速度が全体として低下することがある。例えば、多値の画像に適した形成手段の駆動速度及び印画動作パターンで画像全体が印画された場合、２値の画像を形成する際の速度が低下する。あるいは、例えば、２値の画像に適した形成手段の駆動速度及び印画動作パターンで画像全体が印画された場合、多値の画像の画質が低下する。
【０００９】
本発明は、多値領域と２値領域とを含む画像を記録対象物に形成する際の画質及び速度を全体として向上できる画像形成装置、画像形成システム、及び画像形成装置の制御方法を提供することを目的とする。
【課題を解決するための手段】
【００１０】
本発明の第１側面に係る画像形成装置は、画像データに応じた画像を熱転写型の画像形成方式により記録対象物に印画する形成手段と、前記画像データに応じた画像が多値の階調を示す多値領域と２値の階調を示す２値領域とを含むか否かを判別する判別手段と、前記判別手段が判別した結果に基づいて、前記形成手段の駆動速度及び印画動作パターンを制御する制御手段と、を備え、前記制御手段は、前記画像データに応じた画像が前記多値領域と前記２値領域とを含むと前記判別手段が判別する場合、前記多値領域について第１の駆動速度及び第１の印画動作パターンで印画し前記２値領域について第２の駆動速度及び第２の印画動作パターンで印画するように、前記形成手段を制御し、前記判別手段は、さらに、前記多値領域と前記２値領域との間の余白の幅が閾値以上であるか否かを判別し、前記制御手段は、前記余白の幅が前記閾値以上であると前記判別手段が判別する場合、前記形成手段が前記余白を通過する期間において、前記第１の駆動速度及び前記第１の印画動作パターンと前記第２の駆動速度及び前記第２の印画動作パターンとを切り替えるように、前記形成手段を制御し、前記余白の幅が前記閾値より小さいと前記判別手段が判別する場合、前記多値領域と前記２値領域とに対して同一の駆動速度で印画するように、前記形成手段を制御し、前記第１の駆動速度は、前記第２の駆動速度より遅く、前記第２の印画動作パターンは、単位駆動量当たりの印画濃度の変化量が前記第１の印画動作パターンよりも大きいことを特徴とする。
【００１２】
本発明の第３側面に係る画像形成システムは、被写体を撮像して画像データを生成する撮像装置と、前記撮像装置から前記画像データを受信する本発明の第１側面又は第２側面に係る画像形成装置とを備えたことを特徴とする。
【００１３】
本発明の第４側面に係る画像形成装置の制御方法は、画像データに応じた画像を熱転写型の画像形成方式により記録対象物に印画する形成手段を有する画像形成装置の制御方法であって、前記画像形成装置の判別手段が、前記画像データに応じた画像が多値の階調を示す多値領域と２値の階調を示す２値領域とを含むか否かを判別する判別ステップと、前記画像形成装置の制御手段が、前記判別ステップで判別した結果に基づいて、前記形成手段の駆動速度及び印画動作パターンを制御する制御ステップと、を備え、前記制御ステップにおいて前記制御手段は、前記画像データに応じた画像が前記多値領域と前記２値領域とを含むと前記判別ステップで判別する場合、前記多値領域について第１の駆動速度及び第１の印画動作パターンで印画し前記２値領域について第２の駆動速度及び第２の印画動作パターンで印画するように、前記形成手段を制御し、前記判別ステップにおいて前記判別手段は、さらに、前記多値領域と前記２値領域との間の余白の幅が閾値以上であるか否かを判別し、前記制御ステップにおいて前記制御手段は、前記余白の幅が前記閾値以上であると前記判別ステップで判別する場合、前記形成手段が前記余白を通過する期間において、前記第１の駆動速度及び前記第１の印画動作パターンと前記第２の駆動速度及び前記第２の印画動作パターンとを切り替えるように、前記形成手段を制御し、前記余白の幅が前記閾値より小さいと前記判別ステップで判別する場合、前記多値領域と前記２値領域とに対して同一の駆動速度で印画するように、前記形成手段を制御し、前記第１の駆動速度は、前記第２の駆動速度より遅く、前記第２の印画動作パターンは、単位駆動量当たりの印画濃度の変化量が前記第１の印画動作パターンよりも大きい
ことを特徴とする。
【発明の効果】
【００１５】
本発明によれば、多値領域と２値領域とを含む画像を記録対象物に形成する際の画質及び速度を全体として向上できる。
【発明を実施するための最良の形態】
【００１６】
本発明の実施形態に係る画像形成システム１００を、図１を用いて説明する。図１は、本発明の実施形態に係る画像形成システム１００の構成図である。
【００１７】
画像形成システム１００は、例えば、カメラダイレクトプリントシステムである。画像形成システム１００は、撮像装置１と画像形成装置３とを備える。撮像装置１と画像形成装置３とは、専用ケーブル２で接続されている。専用ケーブル２は、例えば、ビデオコンポジットケーブルである。
【００１８】
撮像装置１は、被写体を撮像して画像データを生成する。撮像装置１は、画像データをＪＰＥＧ方式などで圧縮して後述の記録媒体に保存する。また、撮像装置１は、専用ケーブル２を介して、画像形成装置３へ画像データを送信する。撮像装置１は、例えば、デジタルカメラである。
【００１９】
画像形成装置３は、専用ケーブル２を介して、撮像装置１から画像データを受信する。画像形成装置３は、ＪＰＥＧ方式などで圧縮された画像ファイル（画像データ）を受信した場合、画像ファイル（画像データ）の伸長、リサイズ、出力データ作成等の画像処理を行う。画像形成装置３は、画像データに応じた画像を記録対象物に形成する。画像形成装置３は、例えば、熱転写型のプリンタである。記録対象物は、例えば、熱転写用紙である。画像データに応じた画像は、例えば、印刷画像である。
【００２０】
次に、撮像装置１の外観構成を、図１及び図２を用いて説明する。図２は、撮像装置１の外観構成を示す図である。
【００２１】
撮像装置１は、図１に示すレンズ１ａが配された面と反対側の面に、図２に示す操作部４及びＬＣＤ５を備える。
【００２２】
操作部４は、出力パターンや出力対象画像、出力指定枠、記録対象物サイズ等を選択するための指示をユーザからそれぞれ受け付ける複数のボタンを含む（図２参照）。
【００２３】
ＬＣＤ５は、その操作内容を確認するための画面を表示することができる。
【００２４】
次に、撮像装置１の構成を、図３を用いて説明する。図３は、撮像装置１の構成図である。
【００２５】
撮像装置１は、ＣＣＤ２０、ＣＰＵ２１、画像処理部２２、Ｆｌａｓｈ  ＲＯＭ２３、ＳＤＲＡＭ２４、コネクタ２６、ＬＣＤ５、ＬＣＤドライバ２８、通信制御部２９、操作部４を備える。
【００２６】
ＣＣＤ２０は、レンズを通して結像された画像を電気信号（アナログ）に変換する。
【００２７】
ＣＰＵ２１は、撮像装置１のシステム制御や演算処理を司る。
【００２８】
画像処理部２２は、ＣＣＤ２０から送られてきた電気信号を処理するための画像処理エンジン等に従った画像処理を行う。画像処理部２２は、例えば、撮像された画像データに対する圧縮の処理を行う。画像処理部２２は、例えば、電気信号（アナログ）を電気信号（デジタル）へ変換する。
【００２９】
Ｆｌａｓｈ  ＲＯＭ２３は、撮像装置１のシステム制御用プログラムを格納する。
【００３０】
ＳＤＲＡＭ２４は、画像データを一時的に保存したりデータ処理の作業用に用いられる。
【００３１】
コネクタ２６は、記録媒体２５を撮像装置１に装着するためのインターフェースである。記録媒体２５は、画像ファイル（画像データ）を保持する。記録媒体２５は、例えば、ＣＦ（コンパクトフラッシュ(登録商標)メモリ）などのメモリーカードである。
【００３２】
ＬＣＤ５は、撮像装置１での撮影画像や操作メニューを表示する。
【００３３】
ＬＣＤドライバ２８は、ＬＣＤ５を駆動する。
【００３４】
通信制御部２９は、接続される画像形成装置３と間での通信を制御する。
【００３５】
操作部４は、ユーザによる指示入力が行われる。
【００３６】
次に、画像形成装置３の構成を、図４を用いて説明する。図４は、画像形成装置３の構成図である。
【００３７】
画像形成装置３は、ＣＰＵ３４、画像処理部３５、記憶部３９、ＳＤＲＡＭ４０、コネクタ４２、ＬＣＤ４３、ＬＣＤドライバ４４、通信制御部３６、操作部３７、形成部（形成手段）３２、及び制御部３３を備える。画像形成装置３は、ヘッド温度センサ３８、及び環境温度センサ３１を備える。
【００３８】
ＣＰＵ３４は、画像形成装置３のシステム制御や演算処理を司る。ＣＰＵ３４は、判別部４７を含む。判別部４７は、画像データに応じた画像が多値領域と２値領域とを含むか否かを判別する。多値領域は、多値の階調を示す領域である。２値領域は、２値の階調を示す領域である。すなわち、判別部４７は、画像データに応じた画像が複数の参照レイアウト情報のいずれに合致するかを判別する。判別部４７は、画像データに応じた画像が後述の複数の参照レイアウト情報のいずれかに合致すると判断する場合、画像データに応じた画像が多値領域と２値領域とを含むと判別する。
【００３９】
判別部４７は、さらに、多値領域と２値領域との間の余白の幅が閾値以上であるか否かを判別する。すなわち、判別部４７は、余白の幅が閾値以上であると判断する場合、画像データに応じた画像が多値領域と２値領域とを含むと判別する。
【００４０】
画像処理部３５は、撮像装置１から送られてきた画像データ、記録媒体２５から取得した画像データを処理する画像処理エンジン等からなる。画像処理部３５は、撮像装置１側から送信された画像データ、またはコネクタ４２を介して記録媒体２５から取得した画像データに対する解凍等の各種画像処理を行い印画用の画像データを生成する。
【００４１】
記憶部３９は、多値領域と２値領域とを含む画像をそれぞれ示す複数の参照レイアウト情報（図８〜図１０参照）を記憶する。記憶部３９は、さらに、複数の参照レイアウト情報のそれぞれを識別する情報と、複数の駆動速度及び複数の印画動作パターンとが対応付けられたパラメータテーブル（図１１参照）を記憶する。複数の駆動速度及び複数の印画動作パターンは、多値領域に対する駆動速度及び印画動作パターンと、２値領域に対する駆動速度及び印画動作パターンとを含む。また、記憶部３９は、画像形成装置３のシステム制御用プログラムを格納する。記憶部３９は、例えば、フラッシュメモリーなどの不揮発性記憶媒体である。
【００４２】
ＳＤＲＡＭ４０は、画像データを一時的に保存したり、データ処理の作業用に用いる。
【００４３】
コネクタ４２は、記録媒体４１が装着されるためのインターフェースである。例えば、記録媒体４１は、データファイルを保存しておく。記録媒体４１は、例えば、ＣＦ（コンパクトフラッシュ(登録商標)メモリ）などのメモリーカードである。
【００４４】
ＬＣＤ４３は、画像形成装置３での撮影画像や操作メニューなどを表示する。
【００４５】
ＬＣＤドライバ４４は、ＬＣＤ４３を駆動する。
【００４６】
通信制御部３６は、接続される撮像装置１との通信を制御する。
【００４７】
操作部３７は、ユーザによる指示入力を受け付ける。
【００４８】
形成部３２は、画像データに応じた画像を記録対象物に形成する。形成部３２は、例えば、サーマルヘッドである。例えば、形成部３２は、制御部３３から供給された電気信号を熱エネルギーに変換し、印画紙（熱転写用紙）に記録を行う。
【００４９】
制御部３３は、判別部４７が合致すると判別した参照レイアウト情報に対応する複数の駆動速度及び印画動作パターンを決定する。制御部３３は、多値領域について決定された駆動速度及び印画動作パターンで印画し２値領域について決定された駆動速度及び印画動作パターンで印画するように、形成部３２を制御する。すなわち、制御部３３は、画像処理部３５で変換された画像データを電気信号に変換し形成部３２に出力する。これにより、制御部３３は、形成部３２を駆動する。
【００５０】
例えば、制御部３３は、画像データに応じた画像が多値領域と２値領域とを含むと判別部４７が判別したことを示す情報を受け取る。このとき、制御部３３は、多値領域について第１の駆動速度及び第１の印画動作パターンで印画し２値領域について第２の駆動速度及び第２の印画動作パターンで印画するように、形成部を制御する。
【００５１】
ここで、第１の駆動速度は、第２の駆動速度より遅い。第２の印画動作パターンは、単位駆動量当たりの印画濃度の変化量が第１の印画動作パターンよりも大きい。
【００５２】
制御部３３は、多値領域と２値領域と間の余白の幅が閾値以上であると判別部４７が判別したことを示す情報を受け取る。このとき、制御部３３は、形成部３２が余白を通過する期間において、第１の駆動速度及び第１の印画動作パターンと第２の駆動速度及び第２の印画動作パターンとを切り替えるように、形成部３２を制御する。制御部３３は、余白の幅が閾値より小さいであると判別部４７が判別する場合、多値領域と２値領域とについて第３の駆動速度及び第３の印画動作パターンで印画するように、形成部３２を制御する。
【００５３】
ここで、第３の駆動速度は、第１の駆動速度と第２の駆動速度との間の値である。第３の印画動作パターンは、単位駆動量当たりの印画濃度の変化量が第１の印画動作パターンと第２の印画動作パターンとの間の値である。このように、多値領域と２値領域と間の余白の幅が閾値より小さいである場合、駆動速度及び印画動作パターンを切り替えるのにその余白の幅が十分でないので、駆動速度及び印画動作パターンを多値領域と２値領域との両方に対してある程度適したものとする。
【００５４】
ヘッド温度センサ３８は、形成部３２の温度を計測する。
【００５５】
環境温度センサ３１は、形成部３２の周囲の環境温度を測定する。
【００５６】
次に、形成部３２及び制御部３３の詳細構成を、図５及び図６を用いて説明する。図５及び図６は、形成部３２及び制御部３３の詳細構成を示す図である。
【００５７】
形成部３２は、ヘッド部４５及びドライバＩＣ部４６を含む。
【００５８】
ヘッド部４５は、インクリボンＩＲ１を走査するための主走査方向に沿って延びている。ヘッド部４５は、画像の各画素に対応した位置に複数の発熱抵抗体４５１，４５２，・・・を含む。
【００５９】
ドライバＩＣ部４６は、ヘッド部４５に沿って延びている。ドライバＩＣ部４６は、複数の発熱抵抗体４５１，４５２，・・・のそれぞれに電流を供給するための複数のスイッチ部４６１，４６２，・・・を含む。複数のスイッチ部４６１，４６２，・・・には、それぞれ、制御部３３が接続されている。
【００６０】
制御部３３は、Ｓｔｒｏｂｅ、Ｌａｔｃｈ、Ｓｈｉｆｔ  Ｃｌｏｃｋ、及びＤｋ（ｋ＝１，２，・・・）の信号を各スイッチ部４６１，・・・に供給する。すなわち、制御部３３は、複数のスイッチ部４６１，・・・を介して複数の発熱抵抗体４５１，・・・のそれぞれをオンオフさせる回数及び時間の少なくとも一方を制御する。これにより、制御部３３は、第１の駆動速度及び第１の印画動作パターンと第２の駆動速度及び第２の印画動作パターンとのいずれかで画像を形成するように、形成部３２を制御する。
【００６１】
また、制御部３３は、複数の発熱抵抗体４５１，・・・をオンオフ制御することで、１画素の階調を表現する。本実施形態において、制御部３３は、隣接する発熱抵抗体４５１，・・・を同時に発熱させることはせずに、奇数番目の画素に対応した発熱抵抗体と偶数番目の画素に対応した発熱抵抗体とが交互に時分割で間欠的に発熱するように、制御する。このような形成部３２の制御手法を駆動モード（印画動作パターン）と呼ぶことにする。
【００６２】
ここで、画像形成装置３では、駆動部（図示せず）により、記録対象物ＲＯ１及びインクリボンＩＲ１を、図６に示すように、主走査方向と交差する方向である副走査方向に駆動する。同時に、制御部３３は、データ信号Ｄｋ等に応じて形成部３２の発熱抵抗体４５１，・・・をオンオフ制御するので、インクリボンＩＲ１のインクが記録対象物ＲＯ１に熱転写される。これにより、形成部３２は、画像データ（Ｄｋ）に応じた画像を記録対象物ＲＯ１に形成する。
【００６３】
このように、本実施形態の画像形成装置３の形成部３２は、熱転写型の画像形成方式を採用しており、特に昇華型の画像形成方式を採用している。ここで、熱転写型の画像形成方式と、他の画像形成方式すなわちインクジェット型の画像形成方式とを比較する。インクジェット型の画像形成装置は、１つの画素を形成する際、複数の小ノズルから、データ上の１画素よりも小さな液滴を記録対象物へ着弾させて誤差拡散等の手法により各画素の画像のみかけ上の解像度と階調性とを得る。
【００６４】
これに対し、昇華型の画像形成装置３は、１画素毎に１つの発熱抵抗体４５１，・・・を複数回オンオフさせることで１つの画素を形成する。画像形成装置３は、発熱抵抗体４５１，・・・をオンオフすることで制御可能な熱の値を容易に変更でき、一つの画素に対する階調性を多く取る事ができる。これにより、昇華型の画像形成装置３によれば、インクを噴射するインクジェット型のような、記録対象物に付着するときのにじみが出にくく、写真印刷のような細かい階調表現が可能である。
【００６５】
次に、画像形成システム１００が記録対象物に画像を形成する際の処理の流れを、図７を用いて説明する。図７は、画像形成システム１００が記録対象物に画像を形成する際の処理の流れを示すフローチャートである。
【００６６】
ステップＡ１では、撮像装置１側の操作部４が、ユーザから、不図示の印画指示ボタン等を介して印刷を所望する画像を選択する指示を受け付ける。また、操作部４は、各種の印刷条件を設定するための指示を受け付け、出力動作を開始するための指示を受け付ける。
【００６７】
ステップＡ２では、撮像装置１が、ステップＡ１で設定された各種印刷設定で、画像形成装置３に印刷し始めるように要求する。画像形成装置３は、印刷に必要な画像ファイルのサイズ等の情報を撮像装置１側に要求する。それに応じて、撮像装置１は、画像形成装置３側へ、ファイル情報（画像ファイルの属性情報）を送信する。画像形成装置３は、送信されたファイル情報に基づいて、実際の画像データを撮像装置１に要求する。撮像装置１は、その要求に応じて、画像形成装置３へ画像データを送信する。
【００６８】
ステップＡ３では、画像形成装置３が、送信されてきた画像データに付随して記録されている属性情報であるＥｘｉｆ拡張タグに基づいて、画像種別の判定を行う。すなわち、画像形成装置３の判別部４７（図４参照）は、画像データに応じた画像が多値領域と２値領域とを含むか否かを判別する。
【００６９】
例えば、判別部４７は、画像データに応じた画像が多値領域のみの画像であることをＥｘｉｆ拡張タグが示している場合、その画像が多値領域と２値領域とを含まないと判別する。
【００７０】
例えば、判別部４７は、画像データに応じた画像が２値領域のみの画像であることをＥｘｉｆ拡張タグが示している場合、その画像が多値領域と２値領域とを含まないと判別する。
【００７１】
例えば、判別部４７は、画像データに応じた画像が多値領域と２値領域とを含むことをＥｘｉｆ拡張タグが示している場合、さらに、多値領域と２値領域との間の余白の幅が閾値以上であるか否かを判別する。判別部４７は、その余白の幅が閾値以上であると判別する場合、その画像が多値領域と２値領域とを含むと判別する。また、判別部４７は、その余白の幅が閾値より小さいであると判別する場合、その画像が多値領域と２値領域とを含まないと判別する。
【００７２】
判別部４７は、画像データに応じた画像が多値領域と２値領域とを含むと判別した場合、処理をステップＡ４へ進め、画像データに応じた画像が多値領域と２値領域とを含まないと判別した場合、処理をステップＡ９へ進める。
【００７３】
ステップＡ４では、画像形成装置３が、レイアウト判別を行う。すなわち、画像形成装置３の判別部４７は、記憶部３９にアクセスして、複数の参照レイアウト情報を取得する。判別部４７は、画像データが示す画像と、各参照レイアウト情報が示す画像（図８〜図１０参照）とのパターンマッチングを行い、画像データに応じた画像が複数の参照レイアウト情報のいずれかに合致するか否かを判断する。
【００７４】
例えば、判別部４７は、画像データに応じた画像が左右に約５０：５０の比率で多値領域と２値領域とを含むと判別する場合、その画像が図８に示す「カレンダー用レイアウト」に合致すると判断する。この場合、判別部４７は、画像データに応じた画像が複数の参照レイアウト情報のいずれかに合致すると判断する。
【００７５】
例えば、判別部４７は、画像データに応じた画像が左上と右とに約３０：７０の比率で多値領域と２値領域とを含むと判別する場合、その画像が図９に示す「レター用レイアウト」に合致すると判断する。この場合、判別部４７は、画像データに応じた画像が複数の参照レイアウト情報のいずれかに合致すると判断する。
【００７６】
例えば、判別部４７は、画像データに応じた画像が左右に約８０：２０の比率で多値領域と２値領域とを含むと判別する場合、その画像が図１０に示す「絵日記用レイアウト」に合致すると判断する。この場合、判別部４７は、画像データに応じた画像が複数の参照レイアウト情報のいずれかに合致すると判断する。
【００７７】
そして、判別部４７は、判別した結果の情報を制御部３３へ供給する。
【００７８】
ステップＡ５では、画像形成装置３の制御部３３が、判別部４７が判別した結果の情報を判別部４７から受け取る。また、制御部３３は、記憶部３９にアクセスし、パラメータテーブルを取得する。パラメータテーブルは、複数の参照レイアウト情報のそれぞれを識別する情報（Ｃ１）と、駆動速度及び印画動作パターン（Ｃ２）とが対応付けられた情報である（図１１参照）。制御部３３は、判別部４７が判別した結果とパラメータテーブルとに基づいて、画像の各画素に対する駆動速度及び印画動作パターンを決定する。
【００７９】
例えば、制御部３３は、画像データに応じた画像が「カレンダー用レイアウト」（図８参照）に合致すると判別した場合、図１１に示すパラメータテーブルにおいて「Ｃａｌｅｎｄｅｒ」に対応する駆動速度及び印画動作パターンに決定する。すなわち、制御部３３は、多値領域に対して駆動速度「０．６５」及び印画動作パターン「Ｐａｔｔｅｒｎ３」を決定し、２値領域に対して駆動速度「１．００」及び印画動作パターン「Ｐａｔｔｅｒｎ１」を決定する。
【００８０】
例えば、制御部３３は、画像データに応じた画像が「絵日記用レイアウト」（図１０参照）に合致すると判別した場合、図１１に示すパラメータテーブルにおいて「Ｄｉａｒｙ」に対応する駆動速度及び印画動作パターンに決定する。すなわち、制御部３３は、多値領域に対して駆動速度「０．６５」及び印画動作パターン「Ｐａｔｔｅｒｎ２」を決定し、２値領域に対して駆動速度「１．５０」及び印画動作パターン「Ｐａｔｔｅｒｎ１」を決定する。
【００８１】
例えば、制御部３３は、画像データに応じた画像が「レター用レイアウト」（図９参照）に合致すると判別した場合、図１１に示すパラメータテーブルにおいて「Ｌｅｔｔｅｒ」に対応する駆動速度及び印画動作パターンに決定する。すなわち、制御部３３は、多値領域に対して駆動速度「０．６５」及び印画動作パターン「Ｐａｔｔｅｒｎ３」を決定し、２値領域に対して駆動速度「０．８０」及び印画動作パターン「Ｐａｔｔｅｒｎ１」を決定する。
【００８２】
ステップＡ６では、画像形成装置３が、画像データに応じた印刷データを生成し、実際の印刷処理に入る。すなわち、制御部３３は、第１の駆動速度及び第１の印画動作パターンで多値領域の画像を形成し第２の駆動速度及び第２の印画動作パターンで２値領域の画像を形成するように、形成部３２を制御する。
【００８３】
例えば、制御部３３は、駆動速度「０．６５」及び印画動作パターン「Ｐａｔｔｅｒｎ３」で多値領域の画像を形成し駆動速度「１．００」及び印画動作パターン「Ｐａｔｔｅｒｎ１」で２値領域の画像を形成するように、形成部３２を制御する。
【００８４】
あるいは、例えば、制御部３３は、駆動速度「０．６５」及び印画動作パターン「Ｐａｔｔｅｒｎ２」で多値領域の画像を形成し駆動速度「１．５０」及び印画動作パターン「Ｐａｔｔｅｒｎ１」で２値領域の画像を形成するように、形成部３２を制御する。
【００８５】
あるいは、例えば、制御部３３は、駆動速度「０．６５」及び印画動作パターン「Ｐａｔｔｅｒｎ３」で多値領域の画像を形成し駆動速度「０．８０」及び印画動作パターン「Ｐａｔｔｅｒｎ１」で２値領域の画像を形成するように、形成部３２を制御する。
【００８６】
なお、画像形成装置３は、印刷途中のモータ加速領域（多値領域と２値領域との間の余白、図１４参照）で駆動速度と印画動作パターンとの切り替えを行う。
【００８７】
ステップＡ９では、画像形成装置３が、出力途中での出力駆動速度及び印画動作パターンの変更を行わずに、印刷データを生成し、通常の印刷処理を行う。すなわち、制御部３３は、一定の駆動速度及び一定の印画動作パターンで画像を形成するように、形成部３２を制御する。
【００８８】
例えば、制御部３３は、余白の幅が閾値より小さいであると判別部４７が判別した場合、第３の駆動速度及び第３の印画動作パターンで多値領域と２値領域との画像を形成するように、形成部３２を制御する。
つまり、多値領域と２値領域とを同一の駆動速度で画像を形成することで、画像形成の途中で速度変化することによる画像濃度のムラが発生するなどの不都合を防止する。
【００８９】
ここで、第３の駆動速度は、第１の駆動速度と第２の駆動速度との間の値である。第３の印画動作パターンは、単位駆動量当たりの印画濃度の変化量が第１の印画動作パターンと第２の印画動作パターンとの間の値である。
このようにすることで、多値領域と２値領域の両方に対して一様に平均的な画質で画像を形成することが出来る。
【００９０】
ステップＡ８では、撮像装置１のＬＣＤ５または画像形成装置３のＬＣＤ４３に、印刷の終了を通知するためのメッセージが表示される。これにより、ユーザは、印刷処理が終了したことを把握することができる。
【００９１】
なお、図７に示す処理は、画像形成装置３に装着された記録媒体４１に記録された画像データに応じた画像の画像を形成する場合でも同様に行われる。
【００９２】
次に、印画動作パターンについて、図１２及び図１３を用いて説明する。図１２及び図１３は、印画動作パターンを説明するための図である。
【００９３】
図１２は、各印画動作パターンにおいて、隣り合う２つの発熱抵抗体がオンオフ制御されてインクリボンのインクが記録対象物にドット状に熱転写された状態を示す。すなわち、図１２は、副走査方向が非常に大きく拡大表示された状態を示している。実際の出力結果では、各ドットはある程度重なりを有している。ここで、１画素は、例えば、副走査方向にならぶ最大５１２個のドットで形成されるものとし、図１２にその一部が示されているものとする。
【００９４】
図１２は、隣接する２画素を形成するためのドットの列が各印画動作パターンについて示されている。すなわち、隣接する発熱体を同時に発熱することはせず、奇数番目の画素と、偶数番目の画素とを時分割で順番に発熱させている。奇数番目の画素と偶数番目の画素とを時分割で発熱させるので、最大濃度の画像を形成する際には、５１２ドットのうちの２５６ドットに対し発熱可能である。
【００９５】
印画動作パターン「Ｐａｔｔｅｒｎ１」は、２つの発熱抵抗体が、連続８ドットを交互に出力する形態である。
【００９６】
印画動作パターン「Ｐａｔｔｅｒｎ２」は、２つの発熱抵抗体が、１ドットを交互に出力する形態である。
【００９７】
印画動作パターン「Ｐａｔｔｅｒｎ３」は、２つの発熱抵抗体が、１ドットを交互に出力する形態である。各発熱抵抗体が３回に１回の割合で間欠的に発熱しないよう制御されている点で、Ｐａｔｔｅｒｎ２と異なっている。
【００９８】
たとえば、Ｐａｔｔｅｒｎ１とＰａｔｔｅｒｎ２とは、いずれも５１２ドットのうち、２５６ドットを出力しているが、見かけの最大濃度とが異なっている。
【００９９】
そして、図１３に示されるように、Ｐａｔｔｅｒｎ１は、面密度が上がるにつれて、濃度の立ち上がりが急峻であり、最大濃度も高くなっている。すなわち、印画動作パターン「Ｐａｔｔｅｒｎ１」は、上記の第２の印画動作パターンに対応しており、単位駆動量当たりの印画濃度の変化量が、他の印画動作パターン「Ｐａｔｔｅｒｎ２」「Ｐａｔｔｅｒｎ３」よりも大きい。よって、Ｐａｔｔｅｒｎ１は、２値領域（文字）などエッジの効いた画質が必要となる場合に効果的である。また、文字印刷の場合は階調性は問題にならず、微妙な温度制御を必要としない。つまり発熱抵抗体の発熱が急激となり、隣接する発熱抵抗体との温度差を大きくでき、非加熱時の冷却スピードも速くできるので、駆動速度を速くすることが容易である。
【０１００】
Ｐａｔｔｅｒｎ２は、Ｐａｔｔｅｒｎ１よりも面密度が上がるにつれて濃度の立ち上がりが緩やかであり、最大濃度も低くなっている。すなわち、印画動作パターン「Ｐａｔｔｅｒｎ２」は、上記の第３の印画動作パターンに対応しており、単位駆動量当たりの印画濃度の変化量が、印画動作パターン「Ｐａｔｔｅｒｎ１」と「Ｐａｔｔｅｒｎ３」との間である。よって、Ｐａｔｔｅｒｎ２は、自然画像領域中に文字が含まれているような場合に、その自然画部分も文字部分もそれぞれ、ある程度好ましい画質を求める場合に利用するのが良い。また、Ｐａｔｔｅｒｎ２の駆動速度は、Ｐａｔｔｅｒｎ１の駆動速度とＰａｔｔｅｒｎ３の駆動速度との間にしたほうが良い。
【０１０１】
Ｐａｔｔｅｒｎ３は、面密度が上がるにつれて、濃度の立ち上がりがなだらかであり、最大濃度も低くなっている。すなわち、印画動作パターン「Ｐａｔｔｅｒｎ３」は、上記の第１の印画動作パターンに対応しており、単位駆動量当たりの印画濃度の変化量が、他の印画動作パターン「Ｐａｔｔｅｒｎ１」「Ｐａｔｔｅｒｎ２」よりも小さい。よって、Ｐａｔｔｅｒｎ３は、多値領域（絵）など階調性が必要となる場合に効果的である。また、この場合、発熱抵抗体を微妙に温度制御することができるので、見た目に各画素の濃度階調が表現可能で、色素の重なりによる微妙な色表現も可能となり、銀塩写真のような階調性豊かな出力を得られる。また、ドット形状が見えにくくなる為、自然画などを印画する場合には粒状感を抑えることが可能となる。
【０１０２】
以上のように、絵などの多値の画像に適した駆動速度及び印画動作パターンで多値領域の画像を形成し、文字などの２値の画像に適した駆動速度及び印画動作パターンで２値領域の画像を形成する。これにより、多値領域の画像を階調性豊かなものとすることができ、２値領域の画像をエッジの利いたものとすることができる。この結果、多値領域と２値領域とを含む画像の画像を記録対象物に形成する際に、画像の画質を全体として向上できる。
【０１０３】
なお、判別部４７は、さらに、画像データに応じた画像において多値領域と２値領域とのいずれにも判別できない判別不可領域が存在するか否かを判別してもよい。このとき、例えば、制御部３３は、判別不可領域が存在すると判別部４７が判断した場合、第４の駆動速度及び第４の印画動作パターンで判別不可領域の画像を形成するように、形成部３２を制御する。ここで、第４の駆動速度は、第１の駆動速度と第２の駆動速度との間の値である。第４の印画動作パターンは、単位駆動量当たりの印画濃度の変化量が第１の印画動作パターンと第２の印画動作パターンとの間の値である。
【０１０４】
また、図７の処理では、ステップＡ３において、画像に付随する属性情報を参照することで処理を切り替えていたが、図１５に示すように使用者の操作により処理を切り替えるように実装しても良い。この場合、画像形成システム１００が記録対象物に画像を形成する際の処理の流れが、図１５に示すように、次の点で上記の実施形態と異なる。
【０１０５】
ステップＢ２では、画像形成装置３の制御部３３が、操作部３７が指定指示を受け付けたか否かを判断する。指定指示は、画像データに応じた画像が多値領域と２値領域とを含むか否かを指定するための指示である。制御部３３は、操作部３７から指定指示を受け取った場合、操作部３７が指定指示を受け付けたと判断し、操作部３７から指定指示を受け取らなかった場合、操作部３７が指定指示を受け付けなかったと判断する。制御部３３は、操作部３７が指定指示を受け付けたと判断した場合、処理をステップＢ３へ進め、操作部３７が指定指示を受け付けなかったと判断した場合、処理をステップＢ９へ進める。
【０１０６】
ステップＢ３では、撮像装置１が、指定指示に応じて、ステップＡ１で設定された各種印刷設定で、画像形成装置３に印刷し始めるように要求する。画像形成装置３は、印刷に必要な画像ファイルのサイズ等の情報を撮像装置１側に要求する。それに応じて、撮像装置１は、画像形成装置３側へ、ファイル情報（画像ファイルの属性情報）を送信する。画像形成装置３は、送信されたファイル情報に基づいて、実際の画像データを撮像装置１に要求する。撮像装置１は、その要求に応じて、画像形成装置３へ画像データを送信する。  ステップＢ６では、制御部３３が、指定指示に応じて、第１の駆動速度及び第１の印画動作パターンで多値領域の画像を形成し第２の駆動速度及び第２の印画動作パターンで２値領域の画像を形成するように、形成部３２を制御する。
【０１０７】
ステップＢ９では、撮像装置１が、通常通りに、ステップＡ１で設定された各種印刷設定で、画像形成装置３に印刷し始めるように要求する。画像形成装置３は、印刷に必要な画像ファイルのサイズ等の情報を撮像装置１側に要求する。それに応じて、撮像装置１は、画像形成装置３側へ、ファイル情報（画像ファイルの属性情報）を送信する。画像形成装置３は、送信されたファイル情報に基づいて、実際の画像データを撮像装置１に要求する。撮像装置１は、その要求に応じて、画像形成装置３へ画像データを送信する。
【０１０８】
また、図７に示すステップＡ９において、画像形成装置３の制御部３３は、多値領域と２値領域との間の余白（モータ加速領域、図１４参照）の幅が閾値より小さいであると判別部４７が判別する場合、多値領域の面積と２値領域の面積とを比較しても良い。例えば、制御部３３は、
（多値領域の面積）／（２値領域の面積）
≧１・・・数式１
が満たされるか否かを判断する。制御部３３は、数式１が満たされると判断する場合、第１の駆動速度及び第１の印画動作パターンで多値領域及び２値領域の画像を形成するように、形成部３２を制御する。制御部３３は、数式１が満たされないと判断する場合、第２の駆動速度及び第２の印画動作パターンで多値領域及び２値領域の画像を形成するように、形成部３２を制御する。これにより、画像の画質が全体として低下することを抑制できる。
【図面の簡単な説明】
【０１０９】
【図１】本発明の実施形態に係る画像形成システム１００の構成図。
【図２】撮像装置１の外観構成を示す図。
【図３】撮像装置１の構成図。
【図４】画像形成装置３の構成図。
【図５】形成部３２及び制御部３３の詳細構成を示す図。
【図６】形成部３２及び制御部３３の詳細構成を示す図。
【図７】画像形成システム１００が記録対象物に画像を形成する際の処理の流れを示すフローチャート。
【図８】参照レイアウト情報を示す図。
【図９】参照レイアウト情報を示す図。
【図１０】参照レイアウト情報を示す図。
【図１１】パラメータテーブルを示す図。
【図１２】印画動作パターンを説明するための図。
【図１３】印画動作パターンを説明するための図。
【図１４】モータ加速領域を説明するための図。
【図１５】画像形成システム１００が記録対象物に画像を形成する際の処理の流れを示すフローチャート（変形例）。
【符号の説明】
【０１１０】
１  撮像装置
３  画像形成装置
３２  形成部
３３  制御部
３４ａ  判別部
３７  操作部
４５１等  発熱抵抗体
４６１等  スイッチ部
１００  画像形成システム
【図１】
0005002357.tif 000002
【図２】
0005002357.tif 000003
【図３】
0005002357.tif 000004
【図４】
0005002357.tif 000005
【図５】
0005002357.tif 000006
【図６】
0005002357.tif 000007
【図７】
0005002357.tif 000008
【図８】
0005002357.tif 000009
【図９】
0005002357.tif 000010
【図１０】
0005002357.tif 000011
【図１１】
0005002357.tif 000012
【図１２】
0005002357.tif 000013
【図１３】
0005002357.tif 000014
【図１４】
0005002357.tif 000015
【図１５】
0005002357.tif 000016